(57)【特許請求の範囲】
【請求項１】
記録可能な光ディスクに照射する光を発する光源と、
前記光ディスクを回転駆動させる回転駆動手段と、
予め前記光ディスクに記録されている識別コードに基づき当該光ディスクの製造元または前記光ディスクの種類を判別する判別手段と、
前記判別手段により判別された製造元または光ディスクの種類に応じて前記光源が発光する記録パルスの記録パルス幅を規定する値θと記録パワーに対する記録パルス先端部分のパワー比ΔＰとを設定する発光波形設定手段と、
前記回転駆動手段により所定線速度で回転させながら前記発光波形設定手段により設定された記録パルスの記録パルス幅を規定する値θと記録パワーに対する記録パルス先端部分のパワー比ΔＰとを用いてステップ毎に異なる記録パワーで前記光源を駆動させて所定回数の試し書きを行う試し書き手段と、
この試し書き手段により試し書きされたデータを再生しその再生信号の特性値に基づき最適記録パワーＰｗｏを決定する基準最適記録パワー決定手段と、
情報の記録時に前記光ディスクを前記回転駆動手段により所定回転数で回転駆動させる記録時回転制御手段と、
情報の記録時に前記光ディスク上の対象となるトラックにおける線速度ｖに応じて、前記基準最適記録パワー決定手段により決定した最適記録パワーＰｗｏとその時の記録パルス幅を規定する値θと最適記録パワーに対する記録パルス先端部分のパワー比ΔＰとを基準として前記光源が発光する記録パルスの記録パルス幅を規定する値θと記録パワーＰｗと該記録パワーに対する記録パルス先端部分のパワー比ΔＰとを制御しながら記録を行わせる記録時光源制御手段と、
を備える光ディスク装置。
【請求項２】
トラックにおける線速度ｖに応じて前記基準最適記録パワー決定手段により算出される前記最適記録パワーＰｗｏ（ｖ）が前記光源の所定の上限値に達するか否かを判断する判断手段を備え、
前記記録時回転制御手段は、前記判断手段により前記最適記録パワーＰｗｏ（ｖ）が前記光源の所定の上限値に達したと判断されたトラック領域では前記光ディスクを前記回転駆動手段により一定線速度で回転駆動させるように切換える、
請求項１記載の光ディスク装置。
【請求項３】
記録可能な光ディスクの記録面を半径方向に複数のゾーンに分割し、各ゾーン内で線速度がほぼ一定となるようにゾーン毎に異なる回転速度で前記光ディスクを回転させて情報の記録を行う光ディスク装置であって、
前記光ディスクに照射する光を発する光源と、
前記光ディスクを回転駆動させる回転駆動手段と、
予め前記光ディスクに記録されている識別コードに基づき当該光ディスクの製造元または前記光ディスクの種類を判別する判別手段と、
前記判別手段により判別された製造元または光ディスクの種類に応じて前記光源が発光する記録パルスの記録パルス幅を規定する値θと記録パワーに対する記録パルス先端部分のパワー比ΔＰとを設定する発光波形設定手段と、
前記回転駆動手段により所定線速度で回転させながら前記発光波形設定手段により設定された記録パルスの記録パルス幅を規定する値θと記録パワーに対する記録パルス先端部分のパワー比ΔＰとを用いてステップ毎に異なる記録パワーで前記光源を駆動させて所定回数の試し書きを行う試し書き手段と、
この試し書き手段により試し書きされたデータを再生しその再生信号の特性値に基づき最適記録パワーＰｗｏを決定する基準最適記録パワー決定手段と、
情報の記録時に前記光ディスクを各ゾーン内でほぼ所定線速度となるように前記回転駆動手段によりゾーン毎に異なる回転速度で回転駆動させる記録時回転制御手段と、
情報の記録時に前記光ディスク上の対象となる記録ゾーンの線速度ｖに応じて、前記基準最適記録パワー決定手段により決定した最適記録パワーＰｗｏとその時の記録パルス幅を規定する値θと最適記録パワーに対する記録パルス先端部分のパワー比ΔＰとを基準として前記光源が発光する記録パルスの記録パルス幅を規定する値θと記録パワーＰｗと該記録パワーに対する記録パルス先端部分のパワー比ΔＰとを制御しながら記録を行わせる記録時光源制御手段と、
を備える光ディスク装置。
【請求項４】
ゾーンにおける線速度ｖに応じて前記基準最適記録パワー決定手段により算出される前記最適記録パワーＰｗｏ（ｖ）が前記光源の所定の上限値に達するか否かを判断する判断手段を備え、
前記記録時回転制御手段は、前記判断手段により前記最適記録パワーＰｗｏ（ｖ）が前記光源の所定の上限値に達したと判断された記録ゾーン領域では前記光ディスクを前記回転駆動手段により前記所定の上限値が最適記録パワーＰｗｏ（ｖ）となる線速度で回転駆動させるように切換える請求項３記載の光ディスク装置。
【請求項５】
書換え記録可能な光ディスクに照射する光を発する光源と、
前記光ディスクを回転駆動させる回転駆動手段と、
前記光ディスクの所定半径位置のトラック上で前記光ディスクを所定線速度で回転させた場合の前記光源のマルチ記録パルスにおける先頭の最適なピークパルス幅θと最後尾のオフパルス幅ｘｎとを予め設定する設定手段と、
記録に先立ち、前記設定手段により設定されたピークパルス幅θとオフパルス幅ｘｎとを用いるとともに前記光ディスクを前記所定半径位置のトラック上で前記回転駆動手段により所定線速度で回転させながらステップ毎に異なる記録パワーで前記光源を駆動させて所定回数の試し書きを行う試し書き手段と、
この試し書き手段により試し書きされたデータを再生しその再生信号の特性値に基づき最適記録パワーＰｗｏを決定する基準最適記録パワー決定手段と、
情報の記録時に前記光ディスクを前記回転駆動手段により所定回転数で回転駆動させる記録時回転制御手段と、
情報の記録時に前記ピークパルス幅θ、オフパルス幅ｘｎ及び前記基準最適記録パワー決定手段により決定された最適記録パワーＰｗｏに対して各々前記光ディスク上の対象となるトラックにおける線速度ｖに応じて補正を加えたピークパルス幅θ（ｖ）、オフパルス幅ｘｎ（ｖ）及び最適記録パワーＰｗｏ（ｖ）を随時算出する発光波形更新演算手段と、
この発光波形更新演算手段により随時算出されるピークパルス幅θ（ｖ）、オフパルス幅ｘｎ（ｖ）及び最適記録パワーＰｗｏ（ｖ）に基づき前記光源のマルチ記録パルスによる発光波形を制御しながら記録を行わせる記録時光源制御手段と、
を備える光ディスク装置。
【請求項６】
トラックにおける線速度ｖに応じて前記発光波形更新演算手段により算出される前記最適記録パワーＰｗｏ（ｖ）が前記光源の所定の上限値に達するか否かを判断する判断手段を備え、
前記記録時回転制御手段は、前記判断手段により前記最適記録パワーＰｗｏ（ｖ）が前記光源の所定の上限値に達したと判断されたトラック領域では前記光ディスクを前記回転駆動手段により一定線速度で回転駆動させるように切換える、
請求項５記載の光ディスク装置。
【請求項７】
書換え記録可能な光ディスクの記録面を半径方向に複数のゾーンに分割し、各ゾーン内で線速度がほぼ一定となるようにゾーン毎に異なる回転速度で前記光ディスクを回転させて情報の記録を行う光ディスク装置であって、
前記光ディスクに照射する光を発する光源と、
前記光ディスクを回転駆動させる回転駆動手段と、
前記光ディスクの所定半径位置のトラック上で前記光ディスクを所定線速度で回転させた場合の前記光源のマルチ記録パルスにおける先頭の最適なピークパルス幅θと最後尾のオフパルス幅ｘｎとを予め設定する設定手段と、
記録に先立ち、前記設定手段により設定されたピークパルス幅θとオフパルス幅ｘｎとを用いるとともに前記光ディスクを前記所定半径位置のトラック上で前記回転駆動手段により所定線速度で回転させながらステップ毎に異なる記録パワーで前記光源を駆動させて所定回数の試し書きを行う試し書き手段と、
この試し書き手段により試し書きされたデータを再生しその再生信号の特性値に基づき最適記録パワーＰｗｏを決定する基準最適記録パワー決定手段と、
情報の記録時に前記光ディスクを各ゾーン内でほぼ所定線速度となるように前記回転駆動手段によりゾーン毎に異なる回転速度で回転駆動させる記録時回転制御手段と、
情報の記録時に前記ピークパルス幅θ、オフパルス幅ｘｎ及び前記基準最適記録パワー決定手段により決定された最適記録パワーＰｗｏに対して各々前記光ディスク上の対象となる記録ゾーンの線速度ｖに応じて補正を加えたピークパルス幅θ（ｖ）、オフパルス幅ｘｎ（ｖ）及び最適記録パワーＰｗｏ（ｖ）を随時算出する発光波形更新演算手段と、
この発光波形更新演算手段により随時算出されるピークパルス幅θ（ｖ）、オフパルス幅ｘｎ（ｖ）及び最適記録パワーＰｗｏ（ｖ）に基づき前記光源のマルチ記録パルスによる発光波形を制御しながら記録を行わせる記録時光源制御手段と、
を備える光ディスク装置。
【請求項８】
ゾーンにおける線速度ｖに応じて前記発光波形更新演算手段により算出される前記最適記録パワーＰｗｏ（ｖ）が前記光源の所定の上限値に達するか否かを判断する判断手段を備え、
前記記録時回転制御手段は、前記判断手段により前記最適記録パワーＰｗｏ（ｖ）が前記光源の所定の上限値に達したと判断された記録ゾーン領域では前記光ディスクを前記回転駆動手段により前記所定の上限値が最適記録パワーＰｗｏ（ｖ）となる線速度で回転駆動させるように切換える、
請求項７記載の光ディスク装置。
【請求項９】
予め前記光ディスクに記録されている識別コードに基づき当該光ディスクの製造元を判別する製造元判別手段を備え、
前記発光波形更新演算手段は、ピークパルス幅θ（ｖ）、オフパルス幅ｘｎ（ｖ）及び最適記録パワーＰｗｏ（ｖ）を線速度ｖと前記製造元判別手段により判別された製造元毎に予め設定されている係数とを用いて算出する、
請求項５ないし８の何れか一に記載の光ディスク装置。
【請求項１０】
前記製造元判別手段による判別は、前記光ディスクの種類の判別を含み、
前記発光波形更新演算手段は、前記製造元判別手段により判別された光ディスクの種類に応じて前記係数に或る一定値を乗算した値を用いる、
請求項９記載の光ディスク装置。
【発明の詳細な説明】
【０００１】
【発明の属する技術分野】
本発明は、記録又は書換え記録可能な光ディスクを用いる光ディスク装置に関する。
【０００２】
【従来の技術】
一般に、コンパクトディスク（ＣＤ）と呼ばれる光ディスクでは、ディスク上には内周から外周に向かって、一定線密度でスパイラル状のトラックが形成されている。また、情報の記録が可能なＣＤもＣＤ−Ｒ（ＣＤ−Ｒecordable）として知られており、ＣＤ−Ｒに情報の記録を行う場合も、内周から外周に向かってスパイラル状に形成されたトラック上に、一定線密度となるように情報の記録を行うようにしている。これは、書換え記録が可能なＣＤであるＣＤ−ＲＷ（ＣＤ−Ｒewritable）の場合も同様であり、ＣＤ−ＲＷに情報の記録を行う場合も、内周から外周に向かってスパイラル状に形成されたトラック上に、一定線密度となるように情報の記録を行うようにしている。
【０００３】
このようなＣＤ−ＲやＣＤ−ＲＷのような光ディスクに対する記録再生方式には、大別して、ＣＬＶ（Ｃonstant Ｌiner Ｖelocity：線速度一定）方式とＣＡＶ（Ｃonstant Ａngular Ｖelocity：回転数一定）方式とがあり、これらを応用したＺＣＬＶ（Ｚone ＣＬＶ）方式もあり、各種公報等により知られている（特開平１１−２９６８５８号公報、特開２０００−１１３８４号公報、特開２０００−４８４８４号公報、特開平７−２１５８５号公報、特開平９−２３１５８０号公報、特開平９−２７０１２９号公報、特開平１０−７９１２４号公報、特開平１１−６６７２６号公報等参照）。
【０００４】
ＣＬＶ方式では、光ディスクを一定の線速度で回転駆動するので、データ管理や回転速度の制御は多少複雑になるが記録容量を最大に確保できる。反対に、ＣＡＶ方式では、光ディスクを一定の角速度（回転数）で回転駆動するので、データ管理や回転速度の制御は容易であるが、記録容量が多少犠牲となる。ＺＣＬＶ方式では、光ディスクを複数のゾーンに分割し、各ゾーン内ではＣＬＶ方式と同様に線速度を一定とし、外周側ほど速くなるようにゾーン毎に回転速度を変化させる。
【０００５】
ＣＤ−Ｒ，ＣＤ−ＲＷ等の記録又は書換え記録可能な光ディスクに対する記録では、回転制御の容易性を優先させてＣＡＶ方式やＺＣＬＶ方式が採用されている。特に、近年では、２０倍速といったような記録速度の向上（高速性）のためにもＣＡＶ方式が望まれている。
【０００６】
【発明が解決しようとする課題】
ところが、ＣＤ−Ｒ，ＣＤ−ＲＷ等の線密度一定方式の光ディスクをＣＡＶ方式で回転させた場合、トラック半径の増加に伴い、線速度が増加していく。最適記録レ−ザパワ−は、線速度に比例して大きくなるため、記録パワ−が一定のままでは、光ディスク外周部で最適な記録パワ−で情報を記録できない。
【０００７】
また、図１３に示すようなＣＤ−Ｒディスクへのライトストラテジ（半導体レーザの発光波形）の設定も、近年のような高速での光ディスクへの書込みの場合は、光ディスク上に形成される記録マークは図１４（ａ）に示すような理想的なものにはならず、典型的には、図１４（ｂ）に示すような形になる。図１４（ｂ）中、（Ｉ）の部分はレーザ照射開始直後のため光ディスクに熱が伝わりきれずに生ずる形状であり、（ＩＩ）の部分はレーザ照射終了後、すぐには熱が消えないために生ずる形状である。そこで、図１３中に示すように、各線速での記録クロック周期Ｔ（１Ｔとは１倍速再生（１．２〜１．４ｍ／ｓ）で２３１．４ｎｓ）に対して記録パルスの先端部におけるレーザパワーを後端部より強く設定し（エキストラパルス）、さらに、記録パルス幅も実際に書き込みたい幅よりも短く設定する。このようなライトストラテジの変更は、主に、図１３中の（Ｉ）に示す記録パルス幅を規定する値θ（即ち、（ｎ−θ）Ｔにおけるθであり、ｎはＥＦＭ信号における３〜１１なる整数、Ｔは記録クロック周期）、（ＩＶ）に示すエキストラパルスのパワー（ΔＰ）を変更することによって行う。ちなみに、（ＩＩ）はエキストラパルスのパルス幅αＴ、（ＩＩＩ）は記録パワーＰｗである。
【０００８】
また、図１５に示すようにＣＤ−ＲＷディスクへのマルチ記録パルスによるライトストラテジの設定も、近年のような高速での光ディスクへの書き込みの場合は、各線速での記録クロック周期Ｔに対してマルチ記録パルスの先頭部におけるピークパルス幅を長く設定し、レーザ照射開始直後の熱が光ディスクに伝わりやすくする。また、マルチ記録パルスの最後尾のオフパルス幅も短く設定して余熱効果を調整する。光ディスク上に形成される記録マークを理想的なものにするためにこのようなライトストラテジの変更は、主に、図１５中の▲１▼の部分のピークパルス幅θ、▲２▼の部分のオフパルス幅ｘｎを変更することによって行う。
【０００９】
何れにしても、このようにライトストラテジの設定も、記録線速度毎で変えるため、ＣＤ−Ｒの場合であれば、記録パルス幅を規定する値θ、エキストラパルスのパワーΔＰが一定のままでは最適な記録条件で記録できず、ＣＤ−ＲＷの場合であれば、ピークパルス幅θとオフパルス幅ｘｎが一定のままでは最適な記録条件で記録できないという問題が生じる。
【００１０】
このような事情は、ＺＣＬＶ方式でＣＤ−ＲやＣＤ−ＲＷのような光ディスクを回転駆動させる場合も同様である。
【００１１】
そこで、本発明は、ＣＬＶ方式の場合に比べて記録速度を向上させ得るＣＡＶ方式或いはＺＣＬＶ方式を用いつつ、常に安定した最適な記録条件で記録又は書換え記録可能な光ディスクに対して記録を行うことができる光ディスク装置を提供することを目的とする。
【００１２】
併せて、記録感度の低い光ディスクを用いた場合や、パワー出力の最大値が低い光源を用いた場合でも対応し得る光ディスク装置を提供することを目的とする。
【００１３】
併せて、用いる光ディスクに関してその製造元に違いがあっても対応し得る光ディスク装置を提供することを目的とする。
【００１４】
さらには、同一製造元による光ディスクに関してその種類に違いがあっても対応し得る光ディスク装置を提供することを目的とする。
【００１５】
【課題を解決するための手段】
請求項１記載の発明は、記録可能な光ディスクに照射する光を発する光源と、前記光ディスクを回転駆動させる回転駆動手段と、予め前記光ディスクに記録されている識別コードに基づき当該光ディスクの製造元または前記光ディスクの種類を判別する判別手段と、前記判別手段により判別された製造元または光ディスクの種類に応じて前記光源が発光する記録パルスの記録パルス幅を規定する値θと記録パワーに対する記録パルス先端部分のパワー比ΔＰとを設定する発光波形設定手段と、前記回転駆動手段により所定線速度で回転させながら前記発光波形設定手段により設定された記録パルスの記録パルス幅を規定する値θと記録パワーに対する記録パルス先端部分のパワー比ΔＰとを用いてステップ毎に異なる記録パワーで前記光源を駆動させて所定回数の試し書きを行う試し書き手段と、この試し書き手段により試し書きされたデータを再生しその再生信号の特性値に基づき最適記録パワーＰｗｏを決定する基準最適記録パワー決定手段と、情報の記録時に前記光ディスクを前記回転駆動手段により所定回転数で回転駆動させる記録時回転制御手段と、情報の記録時に前記光ディスク上の対象となるトラックにおける線速度ｖに応じて、前記基準最適記録パワー決定手段により決定した最適記録パワーＰｗｏとその時の記録パルス幅を規定する値θと最適記録パワーに対する記録パルス先端部分のパワー比ΔＰとを基準として前記光源が発光する記録パルスの記録パルス幅を規定する値θと記録パワーＰｗと該記録パワーに対する記録パルス先端部分のパワー比ΔＰとを制御しながら記録を行わせる記録時光源制御手段と、を備える光ディスク装置である。
【００１６】
従って、記録時には基本的に光ディスクを記録時回転制御手段によりＣＡＶ方式に従い所定回転数で回転駆動させるので、記録速度を向上させることができる。この際、記録時の線速度の変化に応じて、光源が発光する記録パルスの記録パルス幅を規定する値θと記録パワーに対する記録パルス先端部分のパワー比ΔＰとを制御しながら記録を行わせるので、ＣＡＶ方式に従い、記録時の線速度に変化があっても、常に安定した記録条件での情報の記録が可能となる。
また、全ての製造元の光ディスクに対して、線速度ｖに応じた記録パルス幅を規定する値θ（ｖ）、パワー比ΔＰ（ｖ）及び最適記録パワーＰｗｏ（ｖ）の算出設定を一律に適用すると、製造元の違いにより、光ディスクによっては、必ずしも最適な記録条件で情報を記録できないケースを生じ得る。この点、本発明では、予め光ディスクに記録されている識別コードに基づき当該光ディスクの製造元を判別し、判別された製造元毎に予め設定されている係数を考慮して記録パルス幅を規定する値θ（ｖ）、パワー比ΔＰ（ｖ）及び最適記録パワーＰｗｏ（ｖ）を算出することにより、用いる光ディスクに関してその製造元に違いがあっても対応し得る。
また、同じ製造元の光ディスクであっても、その種類の違い（例えば、シアニン系、フタロシアニン系など）により、必ずしも最適な記録条件で情報を記録できないケースを生じ得る。この点、本発明では、光ディスクの種類の判別も含み、判別された製造元毎に予め設定されている係数に対して種類による一定値を乗算した値を考慮して記録パルス幅を規定する値θ（ｖ）、パワー比ΔＰ（ｖ）及び最適記録パワーＰｗｏ（ｖ）を算出することにより、用いる光ディスクに関してその製造元及びそのディスクの種類に違いがあっても対応し得る。
【００１７】
請求項２記載の発明は、請求項１記載の光ディスク装置において、トラックにおける線速度ｖに応じて前記基準最適記録パワー決定手段により算出される前記最適記録パワーＰｗｏ（ｖ）が前記光源の所定の上限値に達するか否かを判断する判断手段を備え、前記記録時回転制御手段は、前記判断手段により前記最適記録パワーＰｗｏ（ｖ）が前記光源の所定の上限値に達したと判断されたトラック領域では前記光ディスクを前記回転駆動手段により一定線速度で回転駆動させるように切換える。
【００１８】
請求項１記載の発明においては、記録パワーの最大出力の低い光源を用いた場合や、記録感度の低い光ディスクを用いた場合には、最適記録パワーＰｗｏに基づき算出される最適記録パワーＰｗｏ（ｖ）がその光源の記録パワーの最大出力を越えるケースを生じ得る。この点、本発明では、請求項１記載の発明に加えて、最適記録パワーＰｗｏ（ｖ）が光源の所定の上限値に達するか否かを判断し、越えないトラック領域では本来の所定回転数によるＣＡＶ方式に記録を行わせるが、越えるトラック領域では線速度ｖに変化を生じない一定線速度によるＣＬＶ方式により記録を行わせることにより、光源の所定の上限値にて継続して記録が可能となるため、記録パワーの最大出力の低い光源を用いた場合や、記録感度の低い光ディスクを用いた場合でも、必要最低限の記録速度の低下にて対応可能となる。
【００１９】
また、請求項３記載の発明は、記録可能な光ディスクの記録面を半径方向に複数のゾーンに分割し、各ゾーン内で線速度がほぼ一定となるようにゾーン毎に異なる回転速度で前記光ディスクを回転させて情報の記録を行う光ディスク装置であって、前記光ディスクに照射する光を発する光源と、前記光ディスクを回転駆動させる回転駆動手段と、予め前記光ディスクに記録されている識別コードに基づき当該光ディスクの製造元または前記光ディスクの種類を判別する判別手段と、前記判別手段により判別された製造元または光ディスクの種類に応じて前記光源が発光する記録パルスの記録パルス幅を規定する値θと記録パワーに対する記録パルス先端部分のパワー比ΔＰとを設定する発光波形設定手段と、前記回転駆動手段により所定線速度で回転させながら前記発光波形設定手段により設定された記録パルスの記録パルス幅を規定する値θと記録パワーに対する記録パルス先端部分のパワー比ΔＰとを用いてステップ毎に異なる記録パワーで前記光源を駆動させて所定回数の試し書きを行う試し書き手段と、この試し書き手段により試し書きされたデータを再生しその再生信号の特性値に基づき最適記録パワーＰｗｏを決定する基準最適記録パワー決定手段と、情報の記録時に前記光ディスクを各ゾーン内でほぼ所定線速度となるように前記回転駆動手段によりゾーン毎に異なる回転速度で回転駆動させる記録時回転制御手段と、情報の記録時に前記光ディスク上の対象となる記録ゾーンの線速度ｖに応じて、前記基準最適記録パワー決定手段により決定した最適記録パワーＰｗｏとその時の記録パルス幅を規定する値θと最適記録パワーに対する記録パルス先端部分のパワー比ΔＰとを基準として前記光源が発光する記録パルスの記録パルス幅を規定する値θと記録パワーＰｗと該記録パワーに対する記録パルス先端部分のパワー比ΔＰとを制御しながら記録を行わせる記録時光源制御手段と、を備える光ディスク装置である。
【００２０】
従って、基本的には請求項１記載の発明の場合と同様であるが、光ディスクをいわゆるＺＣＬＶ方式で回転させて記録を行わせる場合、ゾーン毎にその処理を行わせると、ゾーンの数だけ、その線速度別に最適な記録パルス幅を規定する値θと最適なパワー比ΔＰとを設定し、かつ、試し書きにより最適記録パワーＰｗｏを決定しなくてはならない。この点、本発明では、最適な記録パルス幅を規定する値θと最適なパワー比ΔＰとの設定、及び、試し書きによる最適記録パワーＰｗｏの決定は、所定半径位置の所定線速度の場合に基づき１回行えばよく、後は、対象となる記録ゾーンの線速度ｖに応じて記録パルス幅を規定する値θ（ｖ）、パワー比ΔＰ（ｖ）及び最適記録パワーＰｗｏ（ｖ）を算出設定することにより、ＺＣＬＶ方式に関しても、常に安定した記録条件で情報の記録を行わせることができる。
【００２１】
請求項４記載の発明は、請求項３記載の光ディスク装置において、ゾーンにおける線速度ｖに応じて前記基準最適記録パワー決定手段により算出される前記最適記録パワーＰｗｏ（ｖ）が前記光源の所定の上限値に達するか否かを判断する判断手段を備え、前記記録時回転制御手段は、前記判断手段により前記最適記録パワーＰｗｏ（ｖ）が前記光源の所定の上限値に達したと判断された記録ゾーン領域では前記光ディスクを前記回転駆動手段により前記所定の上限値が最適記録パワーＰｗｏ（ｖ）となる線速度で回転駆動させるように切換える。
【００２２】
請求項３記載の発明においては、記録パワーの最大出力の低い光源を用いた場合や、記録感度の低い光ディスクを用いた場合には、最適記録パワーＰｗｏに基づき算出される最適記録パワーＰｗｏ（ｖ）がその光源の記録パワーの最大出力を越えるケースを生じ得る。この点、本発明では、請求項３記載の発明に加えて、最適記録パワーＰｗｏ（ｖ）が光源の所定の上限値に達するか否かを判断し、越えないゾーン領域ではゾーン毎に回転速度を異ならせた本来の線速度により記録を行わせるが、越える記録ゾーン領域では線速度ｖをゾーンによって変化させない一定線速度により記録を行わせることにより、光源の所定の上限値にて継続して記録が可能となるため、記録パワーの最大出力の低い光源を用いた場合や、記録感度の低い光ディスクを用いた場合でも、必要最低限の記録速度の低下にて対応可能となる。
【００２７】
請求項５記載の発明は、書換え記録可能な光ディスクに照射する光を発する光源と、前記光ディスクを回転駆動させる回転駆動手段と、前記光ディスクの所定半径位置のトラック上で前記光ディスクを所定線速度で回転させた場合の前記光源のマルチ記録パルスにおける先頭の最適なピークパルス幅θと最後尾のオフパルス幅ｘｎとを予め設定する設定手段と、記録に先立ち、前記設定手段により設定されたピークパルス幅θとオフパルス幅ｘｎとを用いるとともに前記光ディスクを前記所定半径位置のトラック上で前記回転駆動手段により所定線速度で回転させながらステップ毎に異なる記録パワーで前記光源を駆動させて所定回数の試し書きを行う試し書き手段と、この試し書き手段により試し書きされたデータを再生しその再生信号の特性値に基づき最適記録パワーＰｗｏを決定する基準最適記録パワー決定手段と、情報の記録時に前記光ディスクを前記回転駆動手段により所定回転数で回転駆動させる記録時回転制御手段と、情報の記録時に前記ピークパルス幅θ、オフパルス幅ｘｎ及び前記基準最適記録パワー決定手段により決定された最適記録パワーＰｗｏに対して各々前記光ディスク上の対象となるトラックにおける線速度ｖに応じて補正を加えたピークパルス幅θ（ｖ）、オフパルス幅ｘｎ（ｖ）及び最適記録パワーＰｗｏ（ｖ）を随時算出する発光波形更新演算手段と、この発光波形更新演算手段により随時算出されるピークパルス幅θ（ｖ）、オフパルス幅ｘｎ（ｖ）及び最適記録パワーＰｗｏ（ｖ）に基づき前記光源のマルチ記録パルスによる発光波形を制御しながら記録を行わせる記録時光源制御手段と、を備える。
【００２８】
従って、記録時には基本的に光ディスクを記録時回転制御手段によりＣＡＶ方式に従い所定回転数で回転駆動させるので、記録速度を向上させることができる。この際、記録時の線速度の変化に応じて発光波形更新演算手段により随時ピークパルス幅θ（ｖ）、オフパルス幅ｘｎ（ｖ）及び最適記録パワーＰｗｏ（ｖ）を随時算出し、その演算結果に基づき光源の発光波形を記録時発光波形制御手段により制御しながら記録を行わせるのでＣＡＶ方式に従い、記録時の線速度に変化があって、常に安定した記録条件で情報の記録が可能となる。
【００２９】
請求項６記載の発明は、請求項５記載の光ディスク装置において、トラックにおける線速度ｖに応じて前記発光波形更新演算手段により算出される前記最適記録パワーＰｗｏ（ｖ）が前記光源の所定の上限値に達するか否かを判断する判断手段を備え、前記記録時回転制御手段は、前記判断手段により前記最適記録パワーＰｗｏ（ｖ）が前記光源の所定の上限値に達したと判断されたトラック領域では前記光ディスクを前記回転駆動手段により一定線速度で回転駆動させるように切換える。
【００３０】
請求項５記載の発明においては、記録パワーの最大出力の低い光源を用いた場合や、記録感度の低い光ディスクを用いた場合には、最適記録パワーＰｗｏに基づき算出される最適記録パワーＰｗｏ（ｖ）がその光源の記録パワーの最大出力を越えるケースを生じ得る。この点、本発明では、請求項５記載の発明に加えて、最適記録パワーＰｗｏ（ｖ）が光源の所定の上限値に達するか否かを判断し、越えないトラック領域では本来の所定回転数によるＣＡＶ方式に記録を行わせるが、越えるトラック領域では線速度ｖに変化を生じない一定線速度によるＣＬＶ方式により記録を行わせることにより、光源の所定の上限値にて継続して記録が可能となるため、記録パワーの最大出力の低い光源を用いた場合や、記録感度の低い光ディスクを用いた場合でも、必要最低限の記録速度の低下にて対応可能となる。
【００３１】
請求項７記載の発明は、書換え記録可能な光ディスクの記録面を半径方向に複数のゾーンに分割し、各ゾーン内で線速度がほぼ一定となるようにゾーン毎に異なる回転速度で前記光ディスクを回転させて情報の記録を行う光ディスク装置であって、前記光ディスクに照射する光を発する光源と、前記光ディスクを回転駆動させる回転駆動手段と、前記光ディスクの所定半径位置のトラック上で前記光ディスクを所定線速度で回転させた場合の前記光源のマルチ記録パルスにおける先頭の最適なピークパルス幅θと最後尾のオフパルス幅ｘｎとを予め設定する設定手段と、記録に先立ち、前記設定手段により設定されたピークパルス幅θとオフパルス幅ｘｎとを用いるとともに前記光ディスクを前記所定半径位置のトラック上で前記回転駆動手段により所定線速度で回転させながらステップ毎に異なる記録パワーで前記光源を駆動させて所定回数の試し書きを行う試し書き手段と、この試し書き手段により試し書きされたデータを再生しその再生信号の特性値に基づき最適記録パワーＰｗｏを決定する基準最適記録パワー決定手段と、情報の記録時に前記光ディスクを各ゾーン内でほぼ所定線速度となるように前記回転駆動手段によりゾーン毎に異なる回転速度で回転駆動させる記録時回転制御手段と、情報の記録時に前記ピークパルス幅θ、オフパルス幅ｘｎ及び前記基準最適記録パワー決定手段により決定された最適記録パワーＰｗｏに対して各々前記光ディスク上の対象となる記録ゾーンの線速度ｖに応じて補正を加えたピークパルス幅θ（ｖ）、オフパルス幅ｘｎ（ｖ）及び最適記録パワーＰｗｏ（ｖ）を随時算出する発光波形更新演算手段と、この発光波形更新演算手段により随時算出されるピークパルス幅θ（ｖ）、オフパルス幅ｘｎ（ｖ）及び最適記録パワーＰｗｏ（ｖ）に基づき前記光源のマルチ記録パルスによる発光波形を制御しながら記録を行わせる記録時光源制御手段と、を備える。
【００３２】
従って、基本的には請求項５記載の発明の場合と同様であるが、光ディスクをいわゆるＺＣＬＶ方式で回転させて記録を行わせる場合、ゾーン毎にその処理を行わせると、ゾーンの数だけ、その線速度別に最適なピークパルス幅θとオフパルス幅ｘｎとを設定し、かつ、試し書きにより最適記録パワーＰｗｏを決定しなくてはならない。この点、本発明では、最適なピークパルス幅θとオフパルス幅ｘｎとの設定、及び、試し書きによる最適記録パワーＰｗｏの決定は、所定半径位置の所定線速度の場合に基づき１回行えばよく、後は、対象となる記録ゾーンの線速度ｖに応じてピークパルス幅θ（ｖ）、オフパルス幅ｘｎ（ｖ）及び最適記録パワーＰｗｏ（ｖ）を算出設定することにより、ＺＣＬＶ方式に関しても、常に安定した記録条件で情報の記録を行わせることができる。
【００３３】
請求項８記載の発明は、請求項７記載の光ディスク装置において、ゾーンにおける線速度ｖに応じて前記発光波形更新演算手段により算出される前記最適記録パワーＰｗｏ（ｖ）が前記光源の所定の上限値に達するか否かを判断する判断手段を備え、前記記録時回転制御手段は、前記判断手段により前記最適記録パワーＰｗｏ（ｖ）が前記光源の所定の上限値に達したと判断された記録ゾーン領域では前記光ディスクを前記回転駆動手段により前記所定の上限値が最適記録パワーＰｗｏ（ｖ）となる線速度で回転駆動させるように切換える。
【００３４】
請求項７記載の発明においては、記録パワーの最大出力の低い光源を用いた場合や、記録感度の低い光ディスクを用いた場合には、最適記録パワーＰｗｏに基づき算出される最適記録パワーＰｗｏ（ｖ）がその光源の記録パワーの最大出力を越えるケースを生じ得る。この点、本発明では、請求項７記載の発明に加えて、最適記録パワーＰｗｏ（ｖ）が光源の所定の上限値に達するか否かを判断し、越えないゾーン領域ではゾーン毎に回転速度を異ならせた本来の線速度により記録を行わせるが、越える記録ゾーン領域では線速度ｖをゾーンによって変化させない一定線速度により記録を行わせることにより、光源の所定の上限値にて継続して記録が可能となるため、記録パワーの最大出力の低い光源を用いた場合や、記録感度の低い光ディスクを用いた場合でも、必要最低限の記録速度の低下にて対応可能となる。
【００３５】
請求項９記載の発明は、請求項５ないし８の何れか一に記載の光ディスク装置において、予め前記光ディスクに記録されている識別コードに基づき当該光ディスクの製造元を判別する製造元判別手段を備え、前記発光波形更新演算手段は、ピークパルス幅θ（ｖ）、オフパルス幅ｘｎ（ｖ）及び最適記録パワーＰｗｏ（ｖ）を線速度ｖと前記製造元判別手段により判別された製造元毎に予め設定されている係数とを用いて算出する。
【００３６】
前述した請求項５ないし８記載の各発明に関して、全ての製造元の光ディスクに対して、線速度ｖに応じたピークパルス幅θ（ｖ）、オフパルス幅ｘｎ（ｖ）及び最適記録パワーＰｗｏ（ｖ）の算出設定を一律に適用すると、製造元の違いにより、光ディスクによっては、必ずしも最適な記録条件で情報を記録できないケースを生じ得る。この点、本発明では、予め光ディスクに記録されている識別コードに基づき当該光ディスクの製造元を判別し、判別された製造元毎に予め設定されている係数を考慮してピークパルス幅θ（ｖ）、オフパルス幅ｘｎ（ｖ）及び最適記録パワーＰｗｏ（ｖ）を算出することにより、用いる光ディスクに関してその製造元に違いがあっても対応し得る。
【００３７】
請求項１０記載の発明は、請求項９記載の光ディスク装置において、前記製造元判別手段による判別は、前記光ディスクの種類の判別を含み、前記発光波形更新演算手段は、前記製造元判別手段により判別された光ディスクの種類に応じて前記係数に或る一定値を乗算した値を用いる。
【００３８】
請求項９記載の発明に関して、同じ製造元の光ディスクであっても、その種類の違いにより、必ずしも最適な記録条件で情報を記録できないケースを生じ得る。この点、本発明では、光ディスクの種類の判別も含み、判別された製造元毎に予め設定されている係数に対して種類による一定値を乗算した値を考慮してピークパルス幅θ（ｖ）、オフパルス幅ｘｎ（ｖ）及び最適記録パワーＰｗｏ（ｖ）を算出することにより、用いる光ディスクに関してその製造元及びそのディスクの種類に違いがあっても対応し得る。
【００３９】
【発明の実施の形態】
本発明の第一の実施の形態を図１ないし図３に基づいて説明する。本実施の形態の光ディスク装置は、記録可能なＣＤ−Ｒ（ＣＤ−Ｒecordable）なる光ディスク１を対象とする情報記録再生装置への適用例を示す。図１はこの情報記録再生装置（ドライブ装置）の構成を示す概略ブロック図である。
【００４０】
光ディスク１は回転駆動手段としてのスピンドルモータ２によって回転駆動される。スピンドルモータ２はモータドライバ３とサーボ手段４とによって線速度一定（ＣＬＶ）又は回転数一定（ＣＡＶ）となるように制御される。光ピックアップ５は特に図示しない光源としての半導体レーザ、光学系、フォーカシングアクチュエータ、トラッキングアクチュエータ、受光素子、ポジションセンサ等を内蔵しており、レーザ光を光ディスク１の記録面に照射する。
【００４１】
光ピックアップ５は図示しないシークモータによりスレッジ方向（ディスク半径方向）に移動可能とされている。これらのフォーカシングアクチュエータ、トラッキングアクチュエータ、シークモータは受光素子やポジションセンサから得られる信号に基づきモータドライバ３とサーボ手段４とによってレーザスポットを光ディスク１上の目的の場所に位置させるように制御する。
【００４２】
データ再生時には、光ピックアップ５で得られた再生信号をリードアンプ６で増幅して２値化した後、ＣＤデコーダ７に入力してデインターリーブとエラー訂正の処理を行う。さらに、そのデインターリーブとエラー訂正の処理後のデータをＣＤ−ＲＯＭデコーダ８に入力してデータの信頼性を高めるためのエラー訂正処理を行う。
【００４３】
その後、ＣＤ−ＲＯＭデコーダ８で処理したデータをバッファマネージャ９によって一旦バッファＲＡＭ１０に蓄積し、セクタデータとして揃ったときにＡＴＡＰＩ／ＳＣＳＩインタフェース１１によってホスト側へ一気に転送する。また、音楽データの場合、ＣＤデコーダ７から出力されるデータをＤ／Ａコンバータ１２に入力してアナログのオーディオ信号を取り出す。
【００４４】
一方、データ記録時には、ＡＴＡＰＩ／ＳＣＳＩインタフェース１１によってホストから転送されたデータを受信すると、そのデータをバッファマネージャ９によって一旦バッファＲＡＭ１０に蓄積する。バッファＲＡＭ１０に或る程度のデータが溜まったときに記録を開始するが、その前にレーザスポットを書き込み開始地点に位置させる。その書き込み開始地点はトラックの蛇行によって予め光ディスク１に刻まれているウォブル信号によって求められる。そのウォブル信号にはＡＴＩＰと称する絶対時間情報が含まれており、ＡＴＩＰデコーダ１３によってＡＴＩＰの情報を取り出す。
【００４５】
また、ＡＴＩＰデコーダ１３が生成する同期信号はＣＤエンコーダ１４に入力されて正確な位置でのデータの書き出しを可能にしている。バッファＲＡＭ１０のデータは、ＣＤ−ＲＯＭエンコーダ１５やＣＤエンコーダ１４でエラー訂正コードの付加やインターリーブを行ってレーザコントロール回路１６、光ピックアップ５を介して光ディスク１に記録される。
【００４６】
このような情報記録再生装置は、上述の各部の動作を制御するとともに後述する各機能を実行するためのＣＰＵ１７、ＲＯＭ１８及びＲＡＭ１９からなるマイクロコンピュータ２０を備えている。また、２１は不揮発性メモリである。
【００４７】
ここに、ＣＤ−Ｒなる光ディスク１のエリア構成を図２に示す。図２は、光ディスク１を半径方向に断面して示す構成図であり、内周側から外周側に向けて、ＰＣＡ（Ｐower Ｃalibration Ａrea＝パワーキャリブレーションエリア）３１、ＰＭＡ（Ｐrogram Ｍemory Ａrea）３２、リードインエリア３３、プログラム領域３４及び追記領域（Ｌead Ｏut）３５を有する。当該情報記録再生装置は、光ディスク１の所定半径位置のトラックに割当られたＰＣＡ３１エリアでＯＰＣ（Ｏptimum Ｐower Ｃontrol）と呼ばれる記録レーザパワーの調整を行い、その結果得られたレーザパワーで記録を行うようにしている。
【００４８】
データ記録時は、ＡＴＡＰＩ／ＳＣＳＩインターフェース１１を介しホストから送られてきたデータを一旦バッファＲＡＭ１０に蓄えてから記録を開始するが、過去に記録した光ディスク１で以前記録したときのＯＰＣ結果を不揮発性メモリ２１に既に記憶している場合を除き、記録前に当該光ディスク１のＰＣＡ３１エリアにおいてＯＰＣを行い半導体レーザの最適な記録パワーを求める。ＯＰＣ実行時、光ディスク１のＰＣＡ３１エリアにおいて、１ブロック毎に（１ステップ毎に）半導体レーザの記録パワーを増加させながら、所定回数分に相当する所定ブロック（例えば、１５ブロック）分の試し書き記録を行う。
【００４９】
ＯＰＣの時、光ピックアップ５からの反射光に応じたデータ信号がリードアンプ６によって増幅され、ピーク及びボトム検出回路２２により、その上側ピークレベルＰと下側ピーク（ボトム）レベルＢが検出される。検出レベル信号はＡ／Ｄ変換された後、それを基に、ＣＰＵ１７などでオレンジブックパートIIにあるように次式
β＝（Ｐ＋Ｂ）／（Ｐ−Ｂ）
で与えられるＲＦ信号対称性を表すβ値を測定し、β値が目標値（例えば、０．０４）に最も近いブロックで使用された記録パワーを最適記録パワーとして決定する。なお、このＯＰＣ実行時には、光ディスク１は線速度一定なるＣＬＶ方式により回転駆動される。このような方法で最適記録パワーを計算しレーザコントロール回路１６に記録パワーの指令を出す。また、ＣＤ−Ｒなる光ディスク１に対する記録時のライトストラテジは図１３に示したようなものであり、先端部分に記録パワーＰｗに対してパワー比ΔＰ分だけパワーを大きくしたエキストラパルスを含み、記録パルス幅ｎ−θＴが値θにより規定される記録パルスからなる。
【００５０】
このような前提の下、本実施の形態では、光ディスク１が当該情報記録再生装置にマウントされ記録命令があった場合にＣＰＵ１７により、設定手段、試し書き手段、基準最適記録パワー決定手段、記録時回転制御手段、発光波形更新演算手段及び記録時光源制御手段の各機能が実行される。この点について、図３に示す概略フローチャートを参照して説明する。
【００５１】
まず、記録命令が発行されると（ステップＳ１）、記録に先立ち、光ピックアップ５を光ディスク１の内周領域に割当てられたＰＣＡ３１エリア中の所定のトラック（所定半径位置のトラックに相当する）上にシークさせる（Ｓ２）。そして、スピンドルモータ２を制御して光ディスク１をＣＬＶ方式による所定線速度、例えば８倍速である８ｘＣＬＶ（線速ｖ ８ｘ）で回転させる（Ｓ３）。この状態で、ＯＰＣ用のライトストラテジを規定するために最適な記録パルス幅を規定する値θとエキストラパルスの最適なパワー比ΔＰとを設定する（Ｓ４）。即ち、所定線速度８ｘＣＬＶにおいて最適な記録パルス幅を規定する値θ ８ｘとエキストラパルスの最適なパワー比ΔＰ ８ｘとを設定する。これらのデータは、例えばＲＯＭ１８或いは不揮発性メモリ２１等に予め格納されている。記録に先立つこのステップＳ３の処理が設定手段の機能として実行される。
【００５２】
このようにライトストラテジが設定された状態で、光ディスク１を８ｘＣＬＶで回転させながらＯＰＣを行わせる（Ｓ５）。即ち、最適な記録パルス幅を規定する値θ ８ｘとエキストラパルスの最適なパワー比ΔＰ ８ｘとを用いるとともに光ディスク１をスピンドルモータ２により所定線速度８ｘＣＬＶで回転させながらステップ毎に異なる記録パワーで半導体レーザを駆動させて所定回数のＯＰＣを行う。記録に先立つこのステップＳ５の処理が試し書き手段の機能として実行される。ＯＰＣ終了後、ＯＰＣにより試し書きされたデータを再生し、その再生信号に関する特性値を検出することで、その特性値に基づき最適記録パワーＰｗｏを決定する（Ｓ６）。この最適記録パワーをＰｗｏ ８ｘとする。このステップＳ６の処理が基準最適記録パワー決定手段の機能として実行される。
【００５３】
このような処理後、実際の記録動作に移行するが、この際、光ディスク１をスピンドルモータ２により所定回転数なるＣＡＶ方式で回転駆動させる（Ｓ７）。このステップＳ７の処理が記録時回転制御手段の機能として実行される。そして、光ピックアップ５による記録対象となるトラック上における任意の線速度ｖ（多くの場合、ＰＣＡ３１エリアの場合の線速度ｖ ８ｘよりも大きい＝速い）に応じて記録パルス幅を規定する値θ（ｖ）、パワー比ΔＰ（ｖ）及び最適記録パワーＰｗｏ（ｖ）を随時算出し設定する（Ｓ８）。この算出は、記録に先立つ処理で設定或いは決定された最適な記録パルス幅を規定する値θ ８ｘ、エキストラパルスの最適なパワー比ΔＰ ８ｘ、最適記録パワーをＰｗｏ ８ｘに線速度ｖに応じた補正を加える処理により実行される。具体的には、線速度ｖの連続関数
Ｐｗｏ（ｖ）＝Ｐｗｏ ８ｘ＊sqrt（ｖ／ｖ ８ｘ）……（１）
θ（ｖ）＝θ ８ｘ＊（ｖ ８ｘ／ｖ）……………………（２）
ΔＰ（ｖ）＝ΔＰ ８ｘ＊（ｖ ８ｘ／ｖ）………………（３）
で定義される。このステップＳ８の処理が発光波形更新演算手段の機能として実行される。
【００５４】
このステップＳ８の処理により随時算出更新される記録パルス幅を規定する値θ（ｖ）、パワー比ΔＰ（ｖ）及び最適記録パワーＰｗｏ（ｖ）に基づきレーザコントロール回路１６を介して半導体レーザの発光波形（ライトストラテジ）を制御しながら、ＣＡＶ方式の下で光ディスク１に対する記録動作を行う（Ｓ９）。このステップＳ９の処理が記録時光源制御手段の機能として実行される。
【００５５】
従って、本実施の形態によれば、記録時には基本的に光ディスク１をＣＡＶ方式に従い所定回転数で回転駆動させるので、記録速度を向上させることができる。この際、記録時の線速度ｖの変化に応じて記録パルス幅を規定する値θ（ｖ）、パワー比ΔＰ（ｖ）及び最適記録パワーＰｗｏ（ｖ）を随時算出し、その演算結果に基づき半導体レーザの発光波形を制御しながら記録を行わせるので、ＣＡＶ方式に従い、記録時の線速度に変化があって、常に安定した記録条件での情報の記録が可能となる。
【００５６】
本発明の第二の実施の形態を図４に基づいて説明する。第一の実施の形態で示した部分と同一部分は同一符号を用いて示し、説明も省略する（以降の各実施の形態でも順次同様とする）。
【００５７】
前述した第一の実施の形態による場合、情報の記録中は、常にＣＡＶ動作を行う。従って、対象となるトラックが光ディスク１の外周側位置に移動するに従い、線速度ｖが増加するので、随時算出される最適記録パワーＰｗｏ（ｖ）の値が大きくなっていく。このため、光ディスク１の記録感度が低く、元々ＯＰＣによって決められた最適記録パワ−Ｐｗｏが大きい場合、光ディスク１の外周側位置におけるトラックによってはその最適記録パワーＰｗｏ（ｖ）の値が、半導体レーザの最大出力Ｐwmax（＝所定の上限値）を超えてしまうケースが生じる。つまり、最適記録パワーＰｗｏ（ｖ）の記録を行えないケースがある。
【００５８】
本実施の形態は、このような事情を考慮し、実際の記録動作において、随時算出される最適記録パワーＰｗｏ（ｖ）が予め設定されている半導体レーザの最大出力Ｐwmax（＝所定の上限値）に達するか否かを判断する（Ｓ１０）。この結果、達しなければ（Ｓ１０のＹ）、ステップＳ７による回転制御を継続させる。即ち、光ディスク１をＣＡＶ方式で回転駆動させて（Ｓ１１）、ＣＡＶ方式の下で光ディスク１に対する記録動作を行わせる（Ｓ９）。
【００５９】
一方、最適記録パワーＰｗｏ（ｖ）が半導体レーザの最大出力Ｐwmaxに達する場合には（Ｓ１０のＮ）、それ以降のトラックに対する記録のために、半導体レーザのライトストラテジとしてその最適記録パワーＰｗｏ（ｖ）（＝Ｐwmax）及びその時の記録パルス幅を規定する値θ（ｖ）、パワー比ΔＰ（ｖ）を保持させ（Ｓ１２）、かつ、スピンドルモータ２により回転駆動される光ディスク１の回転をその時の線速度ｖで一定となるＣＬＶ方式に切換え（Ｓ１３）、保持された最適記録パワーＰｗｏ（ｖ）（＝Ｐwmax）及びその時の記録パルス幅を規定する値θ（ｖ）、パワー比ΔＰ（ｖ）に基づきレーザコントロール回路１６を介して半導体レーザの発光波形（ライトストラテジ）を制御しながら、ＣＬＶ方式の下で光ディスク１に対する記録動作を行う（Ｓ１４）。
【００６０】
ステップＳ１０の処理が判断手段の機能として実行され、ステップＳ１３の処理が記録時回転制御手段の機能として実行され、ステップＳ１４の処理が記録時光源制御手段の機能として実行される。
【００６１】
このように本実施の形態によれば、最適記録パワーＰｗｏ（ｖ）が半導体レーザの最大出力に達するか否かを判断し、越えないトラック領域では本来の所定回転数によるＣＡＶ方式に記録を行わせるが、越えるトラック領域では線速度ｖに変化を生じない一定線速度によるＣＬＶ方式により記録を行わせるようにしたので、半導体レーザの最大出力にて継続して記録が可能となるため、記録パワーの最大出力の低い半導体レーザを用いた場合や、記録感度の低い光ディスクを用いた場合でも、必要最低限の記録速度の低下にて対応可能となる。
【００６２】
本発明の第三の実施の形態を図５に基づいて説明する。本実施の形態は、基本的には、第一の実施の形態の場合と同様であるが、記録時に光ディスク１をＣＡＶ方式に代えてＺＣＬＶ方式で駆動させる場合への適用例を示す。本実施の形態では、例えば、光ディスク１の記録面を半径方向にＮ＝４のゾーンに分割し、各々のゾーンを内周側から順に８ｘ，１２ｘ，１６ｘ，２０ｘのように異なる回転速度（線速度）によるＣＬＶ方式により光ディスク１を回転させながら記録を行わせるものとする。
【００６３】
ＺＣＬＶ方式により駆動しようとする本実施の形態の場合も、ステップＳ１〜Ｓ６なる記録に先立つ処理は第一の実施の形態の場合と同様である。即ち、ＯＰＣによる最適記録パワーＰｗｏの決定等の処理がＰＣＡ３１エリアを利用して１回だけ行われる。
【００６４】
記録に先立つ処理が終了すると、光ピックアップ５を光ディスク１の記録対象となるゾーンＮにシーク移動させ（Ｓ２１）、記録動作を開始させる。そして、光ピックアップ５による記録対象となる記録ゾーンＮに関する任意の線速度ｖに応じて記録パルス幅を規定する値θ（ｖ）、パワー比ΔＰ（ｖ）及び最適記録パワーＰｗｏ（ｖ）を随時算出し設定する（Ｓ２２）。この算出は、記録に先立つ処理で設定或いは決定された最適な記録パルス幅を規定する値θ ８ｘ、エキストラパルスの最適なパワー比ΔＰ ８ｘ、最適記録パワーをＰｗｏ ８ｘに線速度ｖに応じた補正を加える処理により実行される。具体的には、前述した（１）〜（３）式で定義される。このステップＳ２２の処理が発光波形更新演算手段の機能として実行される。
【００６５】
そして、光ディスク１をスピンドルモータ２によりそのゾーンＮに応じた所定線速度ｖとなるようにＣＬＶ方式で回転駆動させる（Ｓ２３）。このステップＳ２３の処理が記録時回転制御手段の機能として実行される。併せて、ステップＳ２２の処理により随時算出更新される記録パルス幅を規定する値θ（ｖ）、パワー比ΔＰ（ｖ）及び最適記録パワーＰｗｏ（ｖ）に基づきレーザコントロール回路１６を介して半導体レーザの発光波形（ライトストラテジ）を制御しながら、そのゾーンではＣＬＶ方式の下で光ディスク１に対する記録動作を行う（Ｓ２４）。このステップＳ２４の処理が記録時光源制御手段の機能として実行される。
【００６６】
光ディスク１をＺＣＬＶ方式で回転させて記録を行わせる場合、ゾーン毎に第一の実施の形態で説明したような処理を行わせると、ゾーンの数Ｎだけ、その線速度別に最適な記録パルス幅を規定する値θと最適なパワー比ΔＰとを設定し、かつ、ＯＰＣにより最適記録パワーＰｗｏを決定しなくてはならないが、本実施の形態によれば、最適な記録パルス幅を規定する値θと最適なパワー比ΔＰとの設定、及び、ＯＰＣによる最適記録パワーＰｗｏの決定は、ＰＣＡ３１エリアなる所定半径位置の所定線速度８ｘの場合に基づき１回行えばよく、後は、対象となる記録ゾーンの線速度ｖに応じて記録パルス幅を規定する値θ（ｖ）、パワー比ΔＰ（ｖ）及び最適記録パワーＰｗｏ（ｖ）を随時算出設定することにより、ＺＣＬＶ方式に関しても、常に安定した記録条件で情報の記録を行わせることができる。
【００６７】
本発明の第四の実施の形態を図６に基づいて説明する。
前述した第三の実施の形態による場合、例えば、２０ｘＣＬＶなる線速度の記録ゾーンに関して（１）式に基づき算出される最適記録パワーＰｗｏ（ｖ）の値が、半導体レーザの最大出力Ｐwmax（＝所定の上限値）を越えてしまうケースが生じる。つまり、最適記録パワーＰｗｏ（ｖ）での記録を行えないケースがある。
【００６８】
本実施の形態は、このような事情を考慮し、実際の記録動作において、記録ゾーン毎に随時算出される最適記録パワーＰｗｏ（ｖ）が予め設定されている半導体レーザの最大出力Ｐwmax（＝所定の上限値）に達するか否かを判断する（Ｓ１０）。この結果、達しなければ（Ｓ１０のＹ）、光ディスク１をＺＣＡＶ方式で回転駆動させて（Ｓ２３）、そのゾーン内ではＣＬＶ方式の下で光ディスク１に対する記録動作を行わせる（Ｓ２４）。
【００６９】
一方、最適記録パワーＰｗｏ（ｖ）が半導体レーザの最大出力Ｐwmaxに達する場合には（Ｓ１０のＮ）、それ以降の記録ゾーンに対する記録のために、半導体レーザのライトストラテジとしてその最適記録パワーＰｗｏ（ｖ）（＝Ｐwmax）及びその時の記録パルス幅を規定する値θ（ｖ）、パワー比ΔＰ（ｖ）を保持させ（Ｓ１２）、かつ、スピンドルモータ２により回転駆動される光ディスク１の回転をその時の線速度ｖで一定となるＺＣＬＶ方式に切換え（Ｓ２５）、保持された最適記録パワーＰｗｏ（ｖ）（＝Ｐwmax）及びその時の記録パルス幅を規定する値θ（ｖ）、パワー比ΔＰ（ｖ）に基づきレーザコントロール回路１６を介して半導体レーザの発光波形（ライトストラテジ）を制御しながら、それ以降の記録ゾーンに関してＣＬＶ方式の下で光ディスク１に対する記録動作を行う（Ｓ２６）。例えば、１６ｘＣＬＶでの最適記録パワーＰｗｏ（ｖ）が半導体レーザの最大出力Ｐwmaxとなってしまう場合には、２０ｘＣＬＶによる記録ゾーンに関する記録動作は、線速度を１６ｘＣＬＶに切換え（Ｓ２５）、かつ、最適記録パワーＰｗｏ（ｖ）を最大出力Ｐwmaxに設定し、その線速度１６ｘＣＬＶでの記録パルス幅を規定する値θ（ｖ）、パワー比ΔＰ（ｖ）に設定し（Ｓ１２）、ＺＣＬＶ方式による記録を行わせることとなる（Ｓ２５，Ｓ２６）。
【００７０】
ステップＳ１０の処理が判断手段の機能として実行され、ステップＳ２５の処理が記録時回転制御手段の機能として実行され、ステップＳ２６の処理が記録時光源制御手段の機能として実行される。
【００７１】
このように本実施の形態によれば、最適記録パワーＰｗｏ（ｖ）が半導体レーザの最大出力に達するか否かを判断し、越えない記録ゾーン領域では本来の所定線速度によるＣＬＶ方式に記録を行わせるが、越える記録ゾーン領域では線速度ｖを記録ゾーンによって変化させない一定線速度により記録を行わせるようにしたので、半導体レーザの最大出力にて継続して記録が可能となるため、記録パワーの最大出力の低い半導体レーザを用いた場合や、記録感度の低い光ディスクを用いた場合でも、必要最低限の記録速度の低下にて対応可能となる。
【００７２】
本発明の第五の実施の形態を図７に基づいて説明する。本実施の形態は,光ディスク１の製造元（メーカ）を考慮するようにしたものであり、一例として、第二の実施の形態の場合への適用例を示す。以下に例示するメーカ毎に異なる所定の係数や最適なライトストラテジ等は予めＲＯＭ１８又は不揮発性メモリ２１等のメモリに格納されており、或いは、随時更新格納される。
【００７３】
このような前提の下、まず、光ディスク１が挿入されると、当該情報記録再生装置は光ディスク１のＭanufacture codeを識別することにより、製造元であるメディアメーカを判別する（Ｓ３１）。通常、ＣＤ−Ｒなる光ディスク１の場合は、光ディスク１のＡＴＩＰに記録されているＬead-Ｉn-Ｓtart-timeがメーカ毎に異なるので、これを読み出すことにより、メーカの判別が可能である。このステップＳ３１の処理が製造元判別手段の機能として実行される。メーカの判別後、メーカ別に所定線速度で最適化されて保存されているライトストラテジテーブルから判別されたメーカ対応のライトストラテジを設定し（Ｓ３２）、第二の実施の形態の場合のステップＳ２以降の処理を行わせる。
【００７４】
ここに、実際の記録動作に伴い随時更新演算する処理に関しては、ステップＳ８に代えてステップＳ３３が用いられる。基本的には、ステップＳ８の場合と同様であるが、メーカ毎に異なる係数を用いて算出する点で異なる。即ち、この算出は、記録に先立つ処理で設定或いは決定された最適な記録パルス幅を規定する値θ ８ｘ、エキストラパルスの最適なパワー比ΔＰ ８ｘ、最適記録パワーをＰｗｏ ８ｘに線速度ｖ及びメーカ別に異なる所定の係数ａ〜ｆに応じた補正を加える処理により実行される。具体的には、線速度ｖの連続関数
Ｐｗｏ（ｖ）＝Ｐｗｏ ８ｘ＊sqrt｛（ｖ／ｖ ８ｘ）＊ａ＋ｂ｝……（４）
θ（ｖ）＝θ ８ｘ＊｛（ｖ ８ｘ／ｖ）＊ｃ＋ｄ｝……………………（５）
ΔＰ（ｖ）＝ΔＰ ８ｘ＊｛（ｖ ８ｘ／ｖ）＊ｅ＋ｆ｝………………（６）
で定義される。このステップＳ３３の処理が発光波形更新演算手段の機能として実行される。
【００７５】
前述した各実施の形態、例えば、第二の実施の形態に関して、全てのメーカの光ディスク１に対して、線速度ｖに応じた記録パルス幅を規定する値θ（ｖ）、パワー比ΔＰ（ｖ）及び最適記録パワーＰｗｏ（ｖ）の算出設定を一律に適用すると、メーカの違いにより、光ディスク１によっては、必ずしも最適な記録条件で情報を記録できないケースを生じ得るが、本実施の形態によれば、予め光ディスク１に記録されている識別コードに基づき当該光ディスクのメーカを判別し、判別されたメーカ毎に予め設定されている係数ａ〜ｆを考慮して記録パルス幅を規定する値θ（ｖ）、パワー比ΔＰ（ｖ）及び最適記録パワーＰｗｏ（ｖ）を各々算出することにより、用いる光ディスク１に関してそのメーカに違いがあっても適正に対応できることとなる。
【００７６】
なお、本実施の形態に関して、同じメーカ製の光ディスク１であっても、その種類の違い（例えば、シアニン系、フタロシアニン系など）により、必ずしも最適な記録条件で情報を記録できないケースを生じ得る。このような場合には、ステップＳ３１の処理において、挿入された光ディスク１のＭanufacture codeとともにＴype codeを識別することにより、製造元であるメディアメーカ及び光ディスク１の種類を判別するようにすればよい。Ｔype codeは通常ＣＤ−Ｒなる光ディスク１の場合は、そのＡＴＩＰに記録されているＬead-Ｉn-Ｓtart-timeのframeの１桁目を示しており、これが０−４の場合はシアニン系、５−９の場合はフタロシアニン系としている。つまり、光ディスク１の種類がシアニン系かフタロシアニン系かを識別できる。これによって、Ｌead-Ｉn-Ｓtart-timeが９７ｍ２７ｓ６０ｆの場合は、当該光ディスク１はシアニン系と判断できる。そして、ステップＳ３３において、このような光ディスク１の種類の違いを考慮して、最適記録パワ−Ｐｗｏ（ｖ）、最適パルス幅を規定する値θ（ｖ）、エキストラパルスのパワー比ΔＰ（ｖ）を以下のように線速度ｖの連続関数として定義される式
Ｐｗｏ（ｖ）＝Ｐｗｏ ８ｘ＊sqrt｛（ｖ／ｖ ８ｘ）＊ａ＊ε＋ｂ｝…（７）
θ（ｖ）＝θ ８ｘ＊｛（ｖ ８ｘ／ｖ）＊ｃ＊η＋ｄ｝…………………（８）
ΔＰ（ｖ）＝ΔＰ ８ｘ＊｛（ｖ ８ｘ／ｖ）＊ｅ＊δ＋ｆ｝……………（９）
により算出設定すればよい。ここに、係数ε、η、δは光ディスク１の種類に応じて異なる値を予めＲＯＭ１８、不揮発性メモリ２１等のメモリに格納させておけばよい。
【００７７】
これによれば、光ディスク１の種類の判別も含み、判別されたメーカ毎に予め設定されている係数ａ，ｃ，ｅに対して種類による一定値ε、η、δを乗算した値を考慮して記録パルス幅を規定する値θ（ｖ）、パワー比ΔＰ（ｖ）及び最適記録パワーＰｗｏ（ｖ）を算出するので、用いる光ディスク１に関してそのメーカ及びその光ディスク１の種類に違いがあっても適正に対応することができる。
【００７８】
本発明の第六の実施の形態を図８に基づいて説明する。本実施の形態の光ディスク装置は、書換え記録可能なＣＤ−ＲＷ（ＣＤ−Ｒewritable）なる光ディスク１を対象とする情報記録再生装置への適用例を示す。この情報記録再生装置自体は図１を用いるものとする。
【００７９】
なお、例えば、オレンジブックパートIIIにあるように書換え可能な光ディスク１であるＣＤ−ＲＷのＯＰＣは、半導体レーザのレーザパワーを多段階に変えながら次式(10)で与えられる変調度ｍを求め、さらに変調度ｍと記録パワーの特性から次式(11)で与えられる規格化傾斜γを求める。この規格化傾斜γがγ=γｔ（γｔはディスク固有の所定値）となるときの記録パワーＰｗを求めることでＯＰＣが実施される。
【００８０】
ｍ＝（ｐｋ−ｂｔ）／ｐｋ  ……………………（10）
γ＝（Δｍ／Δｐ）＊（ｐ／ｍ）  ……………（11）
【００８１】
さらに、実際には記録パワーＰｗをそのまま最適記録パワーとして用いるのでなく、記録パワーＰｗにディスク固有の定数ρを乗じて、Ｐｗ＊ρを最適記録パワーとする方が好ましい場合がある。
【００８２】
また、ＣＤ−ＲＷなる光ディスク１に対する記録時のライトストラテジは図１５に示したようなマルチ記録パルスによるものであり、ピークパルス幅θ、オフパルス幅ｘｎなる要素を含んでいる。
【００８３】
このような前提の下、本実施の形態では、ＣＤ−ＲＷなる光ディスク１が当該情報記録再生装置にマウントされ記録命令があった場合に、ＣＰＵ１７により、設定手段、試し書き手段、基準最適記録パワー決定手段、記録時回転制御手段、発光波形更新演算手段及び記録時光源制御手段の各機能が実行される。この点について、図８に示す概略フローチャートを参照して説明する。
【００８４】
まず、記録命令が発行されると（ステップＳ５１）、記録に先立ち、光ピックアップ５を光ディスク１の内周領域に割当てられたＰＣＡ３１エリア中の所定のトラック（所定半径位置のトラックに相当する）上にシークさせる（Ｓ５２）。そして、スピンドルモータ２を制御して光ディスク１をＣＬＶ方式による所定線速度、例えば８倍速である８ｘＣＬＶ（線速ｖ ８ｘ）で回転させる（Ｓ５３）。この状態で、ＯＰＣ用のライトストラテジを規定するために最適なピークパルス幅θとオフパルス幅ｘｎとを設定する（Ｓ５４）。即ち、所定線速度８ｘＣＬＶにおいて最適なピークパルス幅θ ８ｘとオフパルス幅ｘｎ ８ｘとを設定する。これらのデータは、例えばＲＯＭ１８或いは不揮発性メモリ２１等に予め格納されている。記録に先立つこのステップＳ５３の処理が設定手段の機能として実行される。
【００８５】
このようにライトストラテジが設定された状態で、光ディスク１を８ｘＣＬＶで回転させながらＯＰＣを行わせる（Ｓ５５）。即ち、最適なピークパルス幅θ ８ｘとオフパルス幅ｘｎ ８ｘとを用いるとともに光ディスク１をスピンドルモータ２により所定線速度８ｘＣＬＶで回転させながらステップ毎に異なる記録パワーで半導体レーザを駆動させて所定回数のＯＰＣを行う。記録に先立つこのステップＳ５５の処理が試し書き手段の機能として実行される。ＯＰＣ終了後、ＯＰＣにより試し書きされたデータを再生し、その再生信号に関する特性値を検出することで、その特性値に基づき最適記録パワーＰｗｏを決定する（Ｓ５６）。この最適記録パワーをＰｗｏ ８ｘとする。このステップＳ５６の処理が基準最適記録パワー決定手段の機能として実行される。
【００８６】
このような処理後、実際の記録動作に移行するが、この際、光ディスク１をスピンドルモータ２により所定回転数なるＣＡＶ方式で回転駆動させる（Ｓ５７）。このステップＳ５７の処理が記録時回転制御手段の機能として実行される。そして、光ピックアップ５による記録対象となるトラック上における任意の線速度ｖ（多くの場合、ＰＣＡ３１エリアの場合の線速度ｖ ８ｘよりも大きい＝速い）に応じてピークパルス幅θ（ｖ）、オフパルス幅ｘｎ（ｖ）及び最適記録パワーＰｗｏ（ｖ）を随時算出し設定する（Ｓ５８）。この算出は、記録に先立つ処理で設定或いは決定された最適なピークパルス幅θ ８ｘとオフパルス幅ｘｎ ８ｘ、最適記録パワーをＰｗｏ ８ｘに線速度ｖに応じた補正を加える処理により実行される。具体的には、線速度ｖの連続関数
Ｐｗｏ（ｖ）＝Ｐｗｏ ８ｘ＊sqrt（ｖ／ｖ ８ｘ）……（12）
θ（ｖ）＝θ ８ｘ＊（ｖ ８ｘ／ｖ）……………………（13）
ｘｎ（ｖ）＝ｘｎ ８ｘ＊（ｖ ８ｘ／ｖ）………………（14）
で定義される。このステップＳ５８の処理が発光波形更新演算手段の機能として実行される。
【００８７】
このステップＳ５８の処理により随時算出更新されるピークパルス幅θ（ｖ）、オフパルス幅ｘｎ（ｖ）及び最適記録パワーＰｗｏ（ｖ）に基づきレーザコントロール回路１６を介して半導体レーザの発光波形（ライトストラテジ）を制御しながら、ＣＡＶ方式の下で光ディスク１に対する記録動作を行う（Ｓ５９）。このステップＳ５９の処理が記録時光源制御手段の機能として実行される。
【００８８】
従って、本実施の形態によれば、記録時には基本的にＣＤ−ＲＷによる光ディスク１をＣＡＶ方式に従い所定回転数で回転駆動させるので、記録速度を向上させることができる。この際、記録時の線速度ｖの変化に応じてピークパルス幅θ（ｖ）、オフパルス幅ｘｎ（ｖ）及び最適記録パワーＰｗｏ（ｖ）を随時算出し、その演算結果に基づき半導体レーザの発光波形を制御しながら記録を行わせるのでＣＡＶ方式に従い、記録時の線速度に変化があって、常に安定した記録条件での情報の記録が可能となる。
【００８９】
本発明の第七の実施の形態を図９に基づいて説明する。
前述した第六の実施の形態による場合、情報の記録中は、常にＣＡＶ動作を行う。従って、対象となるトラックが光ディスク１の外周側位置に移動するに従い、線速度ｖが増加するので、随時算出される最適記録パワーＰｗｏ（ｖ）の値が大きくなっていく。このため、光ディスク１の記録感度が低く、元々ＯＰＣによって決められた最適記録パワ−Ｐｗｏが大きい場合、光ディスク１の外周側位置におけるトラックによってはその最適記録パワーＰｗｏ（ｖ）の値が、半導体レーザの最大出力Ｐwmax（＝所定の上限値）を超えてしまうケースが生じる。つまり、最適記録パワーＰｗｏ（ｖ）の記録を行えないケースがある。
【００９０】
本実施の形態は、このような事情を考慮し、実際の記録動作において、随時算出される最適記録パワーＰｗｏ（ｖ）が予め設定されている半導体レーザの最大出力Ｐwmax（＝所定の上限値）に達するか否かを判断する（Ｓ６０）。この結果、達しなければ（Ｓ６０のＹ）、ステップＳ５７による回転制御を継続させる。即ち、光ディスク１をＣＡＶ方式で回転駆動させて（Ｓ６１）、ＣＡＶ方式の下で光ディスク１に対する記録動作を行わせる（Ｓ５９）。
【００９１】
一方、最適記録パワーＰｗｏ（ｖ）が半導体レーザの最大出力Ｐwmaxに達する場合には（Ｓ６０のＮ）、それ以降のトラックに対する記録のために、半導体レーザのライトストラテジとしてその最適記録パワーＰｗｏ（ｖ）（＝Ｐwmax）及びその時のピークパルス幅θ（ｖ）、オフパルス幅ｘｎ（ｖ）を保持させ（Ｓ６２）、かつ、スピンドルモータ２により回転駆動される光ディスク１の回転をその時の線速度ｖで一定となるＣＬＶ方式に切換え（Ｓ６３）、保持された最適記録パワーＰｗｏ（ｖ）（＝Ｐwmax）及びその時のピークパルス幅θ（ｖ）、オフパルス幅ｘｎ（ｖ）に基づきレーザコントロール回路１６を介して半導体レーザの発光波形（ライトストラテジ）を制御しながら、ＣＬＶ方式の下で光ディスク１に対する記録動作を行う（Ｓ６４）。
【００９２】
ステップＳ６０の処理が判断手段の機能として実行され、ステップＳ６３の処理が記録時回転制御手段の機能として実行され、ステップＳ６４の処理が記録時光源制御手段の機能として実行される。
【００９３】
このように本実施の形態によれば、最適記録パワーＰｗｏ（ｖ）が半導体レーザの最大出力に達するか否かを判断し、越えないトラック領域では本来の所定回転数によるＣＡＶ方式に記録を行わせるが、越えるトラック領域では線速度ｖに変化を生じない一定線速度によるＣＬＶ方式により記録を行わせるようにしたので、半導体レーザの最大出力にて継続して記録が可能となるため、記録パワーの最大出力の低い半導体レーザを用いた場合や、記録感度の低い光ディスクを用いた場合でも、必要最低限の記録速度の低下にて対応可能となる。
【００９４】
本発明の第八の実施の形態を図１０に基づいて説明する。本実施の形態は、基本的には、第六の実施の形態の場合と同様であるが、記録時に光ディスク１をＣＡＶ方式に代えてＺＣＬＶ方式で駆動させる場合への適用例を示す。本実施の形態では、例えば、光ディスク１の記録面を半径方向にＮ＝４のゾーンに分割し、各々のゾーンを内周側から順に８ｘ，１２ｘ，１６ｘ，２０ｘのように異なる回転速度（線速度）によるＣＬＶ方式により光ディスク１を回転させながら記録を行わせるものとする。
【００９５】
ＺＣＬＶ方式により駆動しようとする本実施の形態の場合も、ステップＳ５１〜Ｓ５６なる記録に先立つ処理は第六の実施の形態の場合と同様である。即ち、ＯＰＣによる最適記録パワーＰｗｏの決定等の処理がＰＣＡ３１エリアを利用して１回だけ行われる。
【００９６】
記録に先立つ処理が終了すると、光ピックアップ５を光ディスク１の記録対象となるゾーンＮにシーク移動させ（Ｓ７１）、記録動作を開始させる。そして、光ピックアップ５による記録対象となる記録ゾーンＮに関する任意の線速度ｖに応じてピークパルス幅θ（ｖ）、オフパルス幅ｘｎ（ｖ）及び最適記録パワーＰｗｏ（ｖ）を随時算出し設定する（Ｓ７２）。この算出は、記録に先立つ処理で設定或いは決定された最適なピークパルス幅θ ８ｘとオフパルス幅ｘｎ ８ｘ、最適記録パワーをＰｗｏ ８ｘに線速度ｖに応じた補正を加える処理により実行される。具体的には、前述した（12）〜（14）式で定義される。このステップＳ７２の処理が発光波形更新演算手段の機能として実行される。
【００９７】
そして、光ディスク１をスピンドルモータ２によりそのゾーンＮに応じた所定線速度ｖとなるようにＣＬＶ方式で回転駆動させる（Ｓ７３）。このステップＳ７３の処理が記録時回転制御手段の機能として実行される。併せて、ステップＳ７２の処理により随時算出更新されるピークパルス幅θ（ｖ）、オフパルス幅ｘｎ（ｖ）及び最適記録パワーＰｗｏ（ｖ）に基づきレーザコントロール回路１６を介して半導体レーザの発光波形（ライトストラテジ）を制御しながら、そのゾーンではＣＬＶ方式の下で光ディスク１に対する記録動作を行う（Ｓ７４）。このステップＳ７４の処理が記録時光源制御手段の機能として実行される。
【００９８】
光ディスク１をＺＣＬＶ方式で回転させて記録を行わせる場合、ゾーン毎に第六の実施の形態で説明したような処理を行わせると、ゾーンの数Ｎだけ、その線速度別に最適なピークパルス幅θとオフパルス幅ｘｎとを設定し、かつ、ＯＰＣにより最適記録パワーＰｗｏを決定しなくてはならないが、本実施の形態によれば、最適なピークパルス幅θとオフパルス幅ｘｎとの設定、及び、ＯＰＣによる最適記録パワーＰｗｏの決定は、ＰＣＡ３１エリアなる所定半径位置の所定線速度８ｘの場合に基づき１回行えばよく、後は、対象となる記録ゾーンの線速度ｖに応じてピークパルス幅θ（ｖ）、オフパルス幅ｘｎ（ｖ）及び最適記録パワーＰｗｏ（ｖ）を随時算出設定することにより、ＺＣＬＶ方式に関しても、常に安定した記録条件で情報の記録を行わせることができる。
【００９９】
本発明の第九の実施の形態を図１１に基づいて説明する。
前述した第八の実施の形態による場合、例えば、２０ｘＣＬＶなる線速度の記録ゾーンに関して（12）式に基づき算出される最適記録パワーＰｗｏ（ｖ）の値が、半導体レーザの最大出力Ｐwmax（＝所定の上限値）を越えてしまうケースが生じる。つまり、最適記録パワーＰｗｏ（ｖ）での記録を行えないケースがある。
【０１００】
本実施の形態は、このような事情を考慮し、実際の記録動作において、記録ゾーン毎に随時算出される最適記録パワーＰｗｏ（ｖ）が予め設定されている半導体レーザの最大出力Ｐwmax（＝所定の上限値）に達するか否かを判断する（Ｓ６０）。この結果、達しなければ（Ｓ６０のＹ）、光ディスク１をＺＣＡＶ方式で回転駆動させて（Ｓ７３）、そのゾーン内ではＣＬＶ方式の下で光ディスク１に対する記録動作を行わせる（Ｓ７４）。
【０１０１】
一方、最適記録パワーＰｗｏ（ｖ）が半導体レーザの最大出力Ｐwmaxに達する場合には（Ｓ６０のＮ）、それ以降の記録ゾーンに対する記録のために、半導体レーザのライトストラテジとしてその最適記録パワーＰｗｏ（ｖ）（＝Ｐwmax）及びその時のピークパルス幅θ（ｖ）、オフパルス幅ｘｎ（ｖ）を保持させ（Ｓ６２）、かつ、スピンドルモータ２により回転駆動される光ディスク１の回転をその時の線速度ｖで一定となるＺＣＬＶ方式に切換え（Ｓ７５）、保持された最適記録パワーＰｗｏ（ｖ）（＝Ｐwmax）及びその時のピークパルス幅θ（ｖ）、オフパルス幅ｘｎ（ｖ）に基づきレーザコントロール回路１６を介して半導体レーザの発光波形（ライトストラテジ）を制御しながら、それ以降の記録ゾーンに関してＣＬＶ方式の下で光ディスク１に対する記録動作を行う（Ｓ７６）。例えば、１６ｘＣＬＶでの最適記録パワーＰｗｏ（ｖ）が半導体レーザの最大出力Ｐwmaxとなってしまう場合には、２０ｘＣＬＶによる記録ゾーンに関する記録動作は、線速度を１６ｘＣＬＶに切換え（Ｓ７５）、かつ、最適記録パワーＰｗｏ（ｖ）を最大出力Ｐwmaxに設定し、その線速度１６ｘＣＬＶでのピークパルス幅θ（ｖ）、オフパルス幅ｘｎ（ｖ）に設定し（Ｓ６２）、ＺＣＬＶ方式による記録を行わせることとなる（Ｓ７５，Ｓ７６）。
【０１０２】
ステップＳ６０の処理が判断手段の機能として実行され、ステップＳ７５の処理が記録時回転制御手段の機能として実行され、ステップＳ７６の処理が記録時光源制御手段の機能として実行される。
【０１０３】
このように本実施の形態によれば、最適記録パワーＰｗｏ（ｖ）が半導体レーザの最大出力に達するか否かを判断し、越えない記録ゾーン領域では本来の所定線速度によるＣＬＶ方式に記録を行わせるが、越える記録ゾーン領域では線速度ｖを記録ゾーンによって変化させない一定線速度により記録を行わせるようにしたので、半導体レーザの最大出力にて継続して記録が可能となるため、記録パワーの最大出力の低い半導体レーザを用いた場合や、記録感度の低い光ディスクを用いた場合でも、必要最低限の記録速度の低下にて対応可能となる。
【０１０４】
本発明の第十の実施の形態を図１２に基づいて説明する。本実施の形態は,光ディスク１の製造元（メーカ）を考慮するようにしたものであり、一例として、第七の実施の形態の場合への適用例を示す。以下に例示するメーカ毎に異なる所定の係数や最適なライトストラテジ等は予めＲＯＭ１８又は不揮発性メモリ２１等のメモリに格納されており、或いは、随時更新格納される。
【０１０５】
このような前提の下、まず、光ディスク１が挿入されると、当該情報記録再生装置は光ディスク１のＭanufacture codeを識別することにより、製造元であるメディアメーカを判別する（Ｓ８１）。通常、ＣＤ−ＲＷなる光ディスク１の場合は、光ディスク１のＡＴＩＰに記録されているＬead-Ｉn-Ｓtart-timeがメーカ毎に異なるので、これを読み出すことにより、メーカの判別が可能である。このステップＳ８１の処理が製造元判別手段の機能として実行される。メーカの判別後、メーカ別に記録線速毎に最適化されて保存されているライトストラテジテーブルから判別されたメーカ対応のライトストラテジを設定し（Ｓ８２）、第七の実施の形態の場合のステップＳ５２以降の処理を行わせる。
【０１０６】
ここに、実際の記録動作に伴い随時更新演算する処理に関しては、ステップＳ５８に代えてステップＳ８３が用いられる。基本的には、ステップＳ５８の場合と同様であるが、メーカ毎に異なる係数を用いて算出する点で異なる。即ち、この算出は、記録に先立つ処理で設定或いは決定された最適なピークパルス幅θ ８ｘとオフパルス幅ｘｎ ８ｘ、最適記録パワーＰｗｏ ８ｘに線速度ｖ及びメーカ別に異なる所定の係数ａ〜ｆに応じた補正を加える処理により実行される。具体的には、線速度ｖの連続関数
Ｐｗｏ（ｖ）＝Ｐｗｏ ８ｘ＊sqrt｛（ｖ／ｖ ８ｘ）＊ａ＋ｂ｝……（15）
θ（ｖ）＝θ ８ｘ＊｛（ｖ ８ｘ／ｖ）＊ｃ＋ｄ｝……………………（16）
ｘｎ（ｖ）＝ｘｎ ８ｘ＊｛（ｖ ８ｘ／ｖ）＊ｅ＋ｆ｝………………（17）
で定義される。このステップＳ８３の処理が発光波形更新演算手段の機能として実行される。ここに、係数ａ〜ｆは光ディスク１のメーカに応じて異なる値を予めＲＯＭ１８、不揮発性メモリ２１等のメモリに格納させておけばよい。
【０１０７】
前述した第六ないし第九の各実施の形態、例えば、第七の実施の形態に関して、全てのメーカの光ディスク１に対して、線速度ｖに応じたピークパルス幅θ（ｖ）、オフパルス幅ｘｎ（ｖ）及び最適記録パワーＰｗｏ（ｖ）の算出設定を一律に適用すると、メーカの違いにより、光ディスク１によっては、必ずしも最適な記録条件で情報を記録できないケースを生じ得るが、本実施の形態によれば、予め光ディスク１に記録されている識別コードに基づき当該光ディスクのメーカを判別し、判別されたメーカ毎に予め設定されている係数ａ〜ｆを考慮してピークパルス幅θ（ｖ）、オフパルス幅ｘｎ（ｖ）及び最適記録パワーＰｗｏ（ｖ）を各々算出することにより、用いる光ディスク１に関してそのメーカに違いがあっても適正に対応できることとなる。
【０１０８】
なお、本実施の形態に関して、同じメーカ製の光ディスク１であっても、その種類の違いにより、必ずしも最適な記録条件で情報を記録できないケースを生じ得る。このような場合には、ステップＳ８１の処理において、挿入された光ディスク１のＭanufacture codeとともにＴype codeを識別することにより、製造元であるメディアメーカ及び光ディスク１の種類を判別するようにすればよい。Ｔype codeは通常ＣＤ−ＲＷなる光ディスク１の場合は、そのＡＴＩＰに記録されているＬead-Ｉn-Ｓtart-timeのframeの１桁目を示しており、これにより色素膜の種類の違いが分かる。そして、ステップＳ８３において、このような光ディスク１の種類（色素膜）の違いを考慮して、最適記録パワ−Ｐｗｏ（ｖ）、ピークパルス幅θ（ｖ）、オフパルス幅ｘｎ（ｖ）を以下のように線速度ｖの連続関数として定義される式
Ｐｗｏ（ｖ）＝Ｐｗｏ ８ｘ＊sqrt｛（ｖ／ｖ ８ｘ）＊ａ＊ε＋ｂ｝…（18）
θ（ｖ）＝θ ８ｘ＊｛（ｖ ８ｘ／ｖ）＊ｃ＊η＋ｄ｝…………………（19）
ｘｎ（ｖ）＝ｘｎ ８ｘ＊｛（ｖ ８ｘ／ｖ）＊ｅ＊δ＋ｆ｝……………（20）
により算出設定すればよい。ここに、係数ε、η、δは光ディスク１の種類に応じて異なる値を予めＲＯＭ１８、不揮発性メモリ２１等のメモリに格納させておけばよい。
【０１０９】
これによれば、光ディスク１の種類の判別も含み、判別されたメーカ毎に予め設定されている係数ａ，ｃ，ｅに対して種類による一定値ε、η、δを乗算した値を考慮してピークパルス幅θ（ｖ）、オフパルス幅ｘｎ（ｖ）及び最適記録パワーＰｗｏ（ｖ）を算出するので、用いる光ディスク１に関してそのメーカ及びその光ディスク１の種類に違いがあっても適正に対応することができる。
【０１１０】
【発明の効果】
請求項１記載の発明によれば、記録時には基本的に光ディスクを記録時回転制御手段によりＣＡＶ方式に従い所定回転数で回転駆動させるので、記録速度を向上させることができ、この際、記録時の線速度の変化に応じて光源が発光する記録パルスの記録パルス幅を規定する値θと記録パワーに対する記録パルス先端部分のパワー比ΔＰとを制御しながら記録を行わせるようにしたので、ＣＡＶ方式に従い、記録時の線速度に変化があって、常に安定した記録条件での情報の記録を行わせることができる。
また、予め光ディスクに記録されている識別コードに基づき当該光ディスクの製造元及び種別を判別し、判別された製造元毎又は種別毎に予め設定されている係数を考慮して記録パルス幅を規定する値θ（ｖ）、パワー比ΔＰ（ｖ）及び最適記録パワーＰｗｏ（ｖ）を算出するようにしたので、用いる光ディスクに関してその製造元や種別に違いがあっても適正に対応することができる。
【０１１１】
請求項２記載の発明によれば、請求項１記載の発明に加えて、最適記録パワーＰｗｏ（ｖ）が光源の所定の上限値に達するか否かを判断し、越えないトラック領域では本来の所定回転数によるＣＡＶ方式に記録を行わせるが、越えるトラック領域では線速度ｖに変化を生じない一定線速度によるＣＬＶ方式により記録を行わせるようにしたので、光源の所定の上限値にて継続して記録が可能となるため、記録パワーの最大出力の低い光源を用いた場合や、記録感度の低い光ディスクを用いた場合でも、必要最低限の記録速度の低下だけで適正に対応することができる。
【０１１２】
請求項３記載の発明によれば、基本的には請求項１記載の発明の場合と同様であるが、光ディスクをいわゆるＺＣＬＶ方式で回転させて記録を行わせる場合でも、最適な記録パルス幅を規定する値θと最適なパワー比ΔＰとの設定、及び、試し書きによる最適記録パワーＰｗｏの決定は、所定半径位置の所定線速度の場合に基づき１回行えばよく、後は、対象となる記録ゾーンの線速度ｖに応じて記録パルス幅を規定する値θ（ｖ）、パワー比ΔＰ（ｖ）及び最適記録パワーＰｗｏ（ｖ）を算出設定することにより、ＺＣＬＶ方式に関しても、常に安定した記録条件で情報の記録を行わせることができる。
【０１１３】
請求項４記載の発明によれば、請求項３記載の発明に加えて、最適記録パワーＰｗｏ（ｖ）が光源の所定の上限値に達するか否かを判断し、越えないゾーン領域ではゾーン毎に回転速度を異ならせた本来の線速度により記録を行わせるが、越える記録ゾーン領域では線速度ｖをゾーンによって変化させない一定線速度により記録を行わせるようにしたので、光源の所定の上限値にて継続して記録が可能となるため、記録パワーの最大出力の低い光源を用いた場合や、記録感度の低い光ディスクを用いた場合でも、必要最低限の記録速度の低下にて対応可能となる。
【０１１６】
請求項５記載の発明によれば、記録時には基本的に書換え記録可能な光ディスクを記録時回転制御手段によりＣＡＶ方式に従い所定回転数で回転駆動させるので、記録速度を向上させることができ、この際、記録時の線速度の変化に応じて発光波形更新演算手段によりピークパルス幅θ（ｖ）、オフパルス幅ｘｎ（ｖ）及び最適記録パワーＰｗｏ（ｖ）を随時算出し、その演算結果に基づき光源の発光波形を記録時発光波形制御手段により制御しながら記録を行わせるようにしたので、ＣＡＶ方式に従い、記録時の線速度に変化があって、常に安定した記録条件で情報の記録を行わせることができる。
【０１１７】
請求項６記載の発明によれば請求項５記載の発明に加えて、最適記録パワーＰｗｏ（ｖ）が光源の所定の上限値に達するか否かを判断し、越えないトラック領域では本来の所定回転数によるＣＡＶ方式に記録を行わせるが、越えるトラック領域では線速度ｖに変化を生じない一定線速度によるＣＬＶ方式により記録を行わせるようにしたので、光源の所定の上限値にて継続して記録が可能となるため、記録パワーの最大出力の低い光源を用いた場合や、記録感度の低い光ディスクを用いた場合でも、必要最低限の記録速度の低下だけで適正に対応することができる。
【０１１８】
請求項７記載の発明によれば、基本的には請求項５記載の発明の場合と同様であるが、書換え記録可能な光ディスクをいわゆるＺＣＬＶ方式で回転させて記録を行わせる場合、最適なピークパルス幅θとオフパルス幅ｘｎとの設定、及び、試し書きによる最適記録パワーＰｗｏの決定は、所定半径位置の所定線速度の場合に基づき１回行えばよく、後は、対象となる記録ゾーンの線速度ｖに応じてピークパルス幅θ（ｖ）、オフパルス幅ｘｎ（ｖ）及び最適記録パワーＰｗｏ（ｖ）を算出設定することにより、ＺＣＬＶ方式に関しても、常に安定した記録条件で情報の記録を行わせることができる。
【０１１９】
請求項８記載の発明によれば、請求項７記載の発明に加えて、最適記録パワーＰｗｏ（ｖ）が光源の所定の上限値に達するか否かを判断し、越えないゾーン領域ではゾーン毎に回転速度を異ならせた本来の線速度により記録を行わせるが、越える記録ゾーン領域では線速度ｖをゾーンによって変化させない一定線速度により記録を行わせるようにしたので、光源の所定の上限値にて継続して記録が可能となるため、記録パワーの最大出力の低い光源を用いた場合や、記録感度の低い光ディスクを用いた場合でも、必要最低限の記録速度の低下だけで適正に対応することができる。
【０１２０】
請求項９記載の発明によれば、請求項５ないし８の何れか一に記載の光ディスク装置において、予め光ディスクに記録されている識別コードに基づき当該光ディスクの製造元を判別し、判別された製造元毎に予め設定されている係数を考慮してピークパルス幅θ（ｖ）、オフパルス幅ｘｎ（ｖ）及び最適記録パワーＰｗｏ（ｖ）を算出するようにしたので、用いる光ディスクに関してその製造元に違いがあっても適正に対応することができる。
【０１２１】
請求項１０記載の発明によれば、請求項９記載の光ディスク装置において、製造元判別手段による判別に、光ディスクの種類の判別も含み、判別された製造元毎に予め設定されている係数に対して種類による一定値を乗算した値を考慮してピークパルス幅θ（ｖ）、オフパルス幅ｘｎ（ｖ）及び最適記録パワーＰｗｏ（ｖ）を算出するようにしたので、用いる光ディスクに関してその製造元及びそのディスクの種類に違いがあっても適正に対応することができる。
【図面の簡単な説明】
【図１】本発明の第一の実施の形態を示す情報記録再生装置の構成例の概略ブロック図である。
【図２】光ディスクのエリア構成を示す説明図である。
【図３】記録処理例を示す概略フローチャートである。
【図４】本発明の第二の実施の形態の記録処理例を示す概略フローチャートである。
【図５】本発明の第三の実施の形態の記録処理例を示す概略フローチャートである。
【図６】本発明の第四の実施の形態の記録処理例を示す概略フローチャートである。
【図７】本発明の第五の実施の形態の記録処理例を示す概略フローチャートである。
【図８】本発明の第六の実施の形態の記録処理例を示す概略フローチャートである。
【図９】本発明の第七の実施の形態の記録処理例を示す概略フローチャートである。
【図１０】本発明の第八の実施の形態の記録処理例を示す概略フローチャートである。
【図１１】本発明の第九の実施の形態の記録処理例を示す概略フローチャートである。
【図１２】本発明の第十の実施の形態の記録処理例を示す概略フローチャートである。
【図１３】ＣＤ−Ｒの場合のライトストラテジ等を示す説明図である。
【図１４】マーク形状を示す説明図である。
【図１５】ＣＤ−ＲＷの場合のライトストラテジ等を示す説明図である。
【符号の説明】
１      光ディスク
２      回転駆動手段
Ｓ４      設定手段
Ｓ５      試し書き手段
Ｓ６      基準最適記録パワー決定手段
Ｓ７      記録時回転制御手段
Ｓ８      発光波形更新演算手段
Ｓ９      記録時光源制御手段
Ｓ１０    判断手段
Ｓ１３    記録時回転制御手段
Ｓ１４    記録時光源制御手段
Ｓ２２      発光波形更新演算手段
Ｓ２３      記録時回転制御手段
Ｓ２４      記録時光源制御手段
Ｓ２５      記録時回転制御手段
Ｓ２６      記録時光源制御手段
Ｓ３１      製造元判別手段
Ｓ３３      発光波形更新演算手段
Ｓ５４    設定手段
Ｓ５５    試し書き手段
Ｓ５６    基準最適記録パワー決定手段
Ｓ５７    記録時回転制御手段
Ｓ５８    発光波形更新演算手段
Ｓ５９      記録時光源制御手段
Ｓ６０    判断手段
Ｓ６３    記録時回転制御手段
Ｓ６４    記録時光源制御手段
Ｓ７２      発光波形更新演算手段
Ｓ７３      記録時回転制御手段
Ｓ７４      記録時光源制御手段
Ｓ７５      記録時回転制御手段
Ｓ７６      記録時光源制御手段
Ｓ８１      製造元判別手段
Ｓ８３      発光波形更新演算手段
【図１】
0003816304.tif 000002
【図２】
0003816304.tif 000003
【図３】
0003816304.tif 000004
【図４】
0003816304.tif 000005
【図５】
0003816304.tif 000006
【図６】
0003816304.tif 000007
【図７】
0003816304.tif 000008
【図８】
0003816304.tif 000009
【図９】
0003816304.tif 000010
【図１０】
0003816304.tif 000011
【図１１】
0003816304.tif 000012
【図１２】
0003816304.tif 000013
【図１３】
0003816304.tif 000014
【図１４】
0003816304.tif 000015
【図１５】
0003816304.tif 000016